(57)【要約】【課題】保護カバーが設けられた鋏の先端部付近で紐を切断しやすくする。【解決手段】紐２を切断する鋏１であって、紐２を切断する平面状の第１の刃１３１及び平面状の第２の刃１３２を有する切断部１３と、第１の刃１３１の外側を覆う第１カバー部１３３と、第２の刃１３２の外側を覆う第２カバー部１３４と、を有し、切断部１３が閉じられた状態において、第１の刃１３１の先端部の内側と第２の刃１３２の先端部の内側とが係合する鋏１を提供する。【選択図】図３
2017189496.tif 000002
【特許請求の範囲】
【請求項１】
紐を切断する鋏であって、
前記紐を切断する平面状の第１の刃及び平面状の第２の刃を有する切断部と、
前記第１の刃の外側を覆う第１カバー部と、
前記第２の刃の外側を覆う第２カバー部と、
を有し、
前記切断部が閉じられた状態において、前記第１の刃の先端部の内側と前記第２の刃の先端部の内側とが係合する鋏。
【請求項２】
前記第１カバー部は、前記第１の刃の先端部をさらに覆い、
前記第２カバー部は、前記第２の刃の先端部をさらに覆い、
前記切断部が閉じられた状態において、前記第１の刃の先端部の内側と前記第２の刃の先端部の内側とが係合する、
請求項１に記載の鋏。
【請求項３】
前記第１カバー部は、前記第１の刃の外周に沿って設けられており、
前記第２カバー部は、前記第２の刃の外周に沿って設けられている、
請求項１又は２に記載の鋏。
【請求項４】
前記第１カバー部は、前記第１の刃の外周の外側に突出して設けられており、
前記第２カバー部は、前記第２の刃の外周の外側に突出して設けられている、
請求項１又は２に記載の鋏。
【請求項５】
前記第１カバー部は、前記第１の刃の背面をさらに覆い、
前記第２カバー部は、前記第２の刃の背面をさらに覆う、
請求項３又は４に記載の鋏。
【請求項６】
前記第１の刃には第１の凹部が形成されており、
前記第２の刃には第２の凹部が形成されており、
前記第１カバー部は、前記第１の凹部に係合する第１の凸部を有し、
前記第２カバー部は、前記第２の凹部に係合する第２の凸部を有する、
請求項１から５のいずれか１項に記載の鋏。
【発明の詳細な説明】
【技術分野】
【０００１】
本発明は、鋏に関する。
【背景技術】
【０００２】
従来、刃に保護カバーを設けた鋏が知られている。特許文献１、２には、刃に樹脂製の保護カバーが設けられた鋏が開示されている。
【先行技術文献】
【特許文献】
【０００３】
【特許文献１】実開平６−２１５７７号公報
【特許文献２】実用新案登録第３１４０４３６号公報
【発明の概要】
【発明が解決しようとする課題】
【０００４】
近年、紐を用いてまぶたを二重にする方法が普及している。この方法では、まぶたに紐を押し当てた状態で紐を切断する鋏が用いられる。この鋏は、目の近くで用いられる鋏であるため、人体に対する安全性が求められる。ユーザは、目の近くで鋏を大きく移動させたくないので、この紐を切断する際には、刃の先端部で切断することが好まれる。
【０００５】
安全性を高めるためには、刃に保護カバーを設けることが考えられる。しかし、特許文献１の保護カバーは、刃の先端部付近の外周が保護カバーによって覆われている。このため、刃の先端部付近で紐を切断することは困難である。また、特許文献２の保護カバーは刃の外側を覆っているものの、刃の形状が横断面Ｌ字状に形成されており、鋏の先端部付近が大型化してしまうため、刃の先端部付近で紐を切断することは困難である。このため、目の近くで紐を切断するために用いる鋏としては利用し難い。
【０００６】
そこで、本発明はこれらの点に鑑みてなされたものであり、保護カバーが設けられた鋏の先端部付近で紐を切断しやすくすることを目的とする。
【課題を解決するための手段】
【０００７】
本発明の第１の態様においては、紐を切断する平面状の第１の刃及び平面状の第２の刃を有する切断部と、前記第１の刃の外側を覆う第１カバー部と、前記第２の刃の外側を覆う第２カバー部と、を有し、前記切断部が閉じられた状態において、前記第１の刃の先端部の内側と前記第２の刃の先端部の内側とが係合することを特徴とする鋏を提供する。
【０００８】
前記第１カバー部は、前記第１の刃の先端部をさらに覆い、前記第２カバー部は、前記第２の刃の先端部をさらに覆い、前記切断部が閉じられた状態において、前記第１の刃の先端部の内側と前記第２の刃の先端部の内側とが係合していてもよい。
【０００９】
前記第１カバー部は、前記第１の刃の外周に沿って設けられており、前記第２カバー部は、前記第２の刃の外周に沿って設けられていてもよい。
【００１０】
前記第１カバー部は、前記第１の刃の外周の外側に突出して設けられており、前記第２カバー部は、前記第２の刃の外周の外側に突出して設けられていてもよい。
【００１１】
前記第１カバー部は、前記第１の刃の背面をさらに覆い、前記第２カバー部は、前記第２の刃の背面をさらに覆っていてもよい。
【００１２】
前記第１の刃には第１の凹部が形成されており、前記第２の刃には第２の凹部が形成されており、前記第１カバー部は、前記第１の凹部に係合する第１の凸部を有し、前記第２カバー部は、前記第２の凹部に係合する第２の凸部を有してもよい。
【発明の効果】
【００１３】
本発明によれば、保護カバーが設けられた鋏の先端付近で紐を切断しやすくなるという効果を奏する。
【図面の簡単な説明】
【００１４】
【図１】まぶたを二重にするための紐２を切断するために鋏１を使用する様子を示す図である。
【図２】第１の実施形態に係る鋏１の構成を示す図である。
【図３】第１の実施形態に係る鋏１の切断部１３の拡大図である。
【図４】第２の実施形態に係る鋏１の切断部１３の拡大図である。
【図５】第３の実施形態に係る鋏１の切断部１３の拡大図である。
【発明を実施するための形態】
【００１５】
＜第１の実施形態＞
図１は、まぶたを二重にするための紐２を切断するために鋏１を使用する様子を示す図である。ユーザは、まぶたの上部の二重にしたいラインを確認する。次に、ユーザは、二重にしたいラインに沿って、まぶたに食い込ませるように強く紐２を押し当てる。そして、ユーザは、紐２の余分な部分を鋏１で切断する。顔の皮膚と紐２との間のスペースが小さいので、鋏１は、先端が細く形成されている。
【００１６】
図２は、第１の実施形態に係る鋏１の構成を示す図である。鋏１は、指掛部１１と、開閉軸１２と、切断部１３と、を有する。指掛部１１は、ユーザが鋏１を操作する際に、指を挿入する部位である。開閉軸１２は、ユーザが鋏１を開閉する操作をする際に、切断部１３が有する複数の刃を開閉する際の支軸である。切断部１３は、紐を切断する複数の刃を有する。
【００１７】
図３は、第１の実施形態に係る鋏１の切断部１３の拡大図である。図３（ａ）は、鋏１を開いた状態における切断部１３の拡大図である。図３（ｂ）は、図３（ａ）のＸ−Ｘ線断面図である。図３（ｃ）は、鋏１を閉じた状態における切断部１３の拡大図である。図３（ｄ）は、図３（ｃ）のＹ−Ｙ線断面図である。図３（ｅ）は、切断部１３を矢印Ａの方向から見た図である。
【００１８】
切断部１３は、第１の刃１３１と、第２の刃１３２と、第１カバー部１３３と、第２カバー部１３４と、を有する。第１の刃１３１と第２の刃１３２とは、鋏１の一対の平面状の金属製の刃である。すなわち、第１の刃１３１と第２の刃１３２は、第１の刃１３１と第２の刃１３２の外側および内側の面が平らな面により形成されている。ユーザが鋏１を開いた状態から閉じた状態へと操作していくと、第１の刃１３１の第１の刃先１３５と第２の刃１３２の第２の刃先１３６とが接し、その後、第１の刃１３１の第１の刃内面部１３７と第２の刃１３２の第２の刃内面部１３８とが接していく。第１の刃先１３５は、第１の刃１３１の短手方向における先端部である。第２の刃先１３６は、第２の刃１３２の短手方向における先端部である。第１の刃内面部１３７は、第１の刃１３１の厚さ方向における内側の面である。第２の刃内面部１３８は、第２の刃１３２の厚さ方向における内側の面である。
【００１９】
また、切断部１３が閉じられた状態において、第１の刃１３１の第１の刃先端部１３９と、第２の刃１３２の第２の刃先端部１４０と、が係合する。第１の刃先端部１３９と第２の刃先端部１４０とは、それぞれ第１の刃１３１と第２の刃１３２の長手方向における先端部である。この結果、ユーザが鋏１を用いて紐２を切断する場合、切断部１３の長手方向における先端部付近で紐２を切断することができる。
【００２０】
第１カバー部１３３と第２カバー部１３４とは、シリコーンやプラスチック等の樹脂又はゴム等を含む保護カバーである。第１カバー部１３３は、第１の刃１３１の第１の刃外面部１４１に接着剤で接着されている。第２カバー部１３４は、第２の刃１３２の第２の刃外面部１４２に接着剤で接着されている。第１の刃外面部１４１は、第１の刃１３１の厚さ方向における外側の面である。第２の刃外面部１４２は、第２の刃１３２の厚さ方向における外側の面である。そして、第１カバー部１３３及び第２カバー部１３４は、それぞれ第１の刃１３１及び第２の刃１３２の外側方向に向かって突出する凸部形状をしている。第１カバー部１３３及び第２カバー部１３４がこのような丸みを帯びた凸部形状をしているため、ユーザに対して安心感を与えることができる。
【００２１】
また、第１カバー部１３３は、第１の刃１３１の第１の刃外面部１４１の少なくとも一部の領域を覆う。例えば、第１カバー部１３３は、第１の刃１３１の第１の刃外面部１４１における刃先端部１３９から所定の範囲と第１の刃先端部１３９とを覆うように設けられている。第２カバー部１３４は、第２の刃１３２の第２の刃外面部１４２の少なくとも一部の領域を覆う。例えば、第２カバー部１３４は、第２の刃１３２の第２の刃外面部１４２における第２の刃先端部１４０から所定の範囲と第２の刃先端部１４０とを覆うように設けられている。このように第１カバー部１３３および第２カバー部１３４が、第１の刃外面部１４１と第２の刃外面部１４２に加えて第１の刃先端部１３９および第２の刃先端部１４０を覆うように設けられることにより、鋏１を閉じた状態で金属製の刃の先端部がユーザから見えない。この結果、ユーザが紐２を切断するために鋏１を目の付近で動かす際に、ユーザに対してより安心感を与えることができる。
【００２２】
また、第１カバー部１３３は、第１の刃１３１の外周に沿って設けられている。第２カバー部１３４は、第２の刃１３２の外周に沿って設けられている。この結果、第１の刃１３１と第２の刃１３２の外面側をユーザから見えないようにし、かつ、鋏１の切断部１３をできるだけ小型化することができる。
【００２３】
［変形例］
また、第１カバー部１３３は、第１の刃１３１の第１の刃外面部１４１を覆うが、第１の刃先端部１３９は覆わないようにして設けてもよい。同様に、第２カバー部１３４は、第２の刃１３２の第２の刃外面部１４２を覆うが、第２の刃先端部１４０は覆わないようにして設けてもよい。この結果、より切断部１３の先端部で紐２を切断しやすくなり、かつ、切断部１３をより小型化することができる。
また、第１カバー部１３３及び第２カバー部１３４は、第１の刃外面部１４１及び第２の刃外面部１４２の全体を覆ってもよい。この際、第１カバー部１３３及び第２カバー部１３４が、指掛部１１と一体となってもよい。
【００２４】
［第１の実施形態の鋏１による効果］
以上説明したように、鋏１は、第１の刃１３１の第１の刃外面部１４１を覆う第１カバー部１３３と、第２の刃１３２の第２の刃外面部１４２を覆う第２カバー部１３４とを有する。そして、切断部１３を構成する第１の刃１３１と第２の刃１３２が閉じられた状態で、第１の刃１３１の第１の刃先端部１３９の内側と第２の刃１３２の第２の刃先端部１４０の内側とが係合する。
【００２５】
鋏１がこのような構成を有することにより、ユーザは、鋏１を目に近づけた際に鋏１の金属製の刃を視認しないので、不安感を軽減することができる。また、もしもユーザが操作を誤ったとしても、第１の刃１３１又は第２の刃１３２が肌に触れることなく、第１カバー部１３３又は第２カバー部１３４が肌に触れるので、怪我をする可能性も低い。さらに、第１の刃１３１の第１の刃先端部１３９の内側と第２の刃１３２の第２の刃先端部１４０の内側とが係合するので、細い紐を鋏の先端に近い位置で容易に切断することができる。
【００２６】
＜第２の実施形態＞
図４は、第２の実施形態に係る鋏１の切断部１３の拡大図である。図４（ａ）は、鋏１を閉じた状態における切断部１３の拡大図である。図４（ｂ）は、図４（ａ）のＺ−Ｚ線断面図である。第１カバー部１３３は、第１の刃１３１の外周の外側に突出して設けられている。第２カバー部１３４は、第２の刃１３２の外周の外側に突出して設けられている。この結果、ユーザが鋏１を用いて紐２を切断する際に、ユーザに対してより安心感を与えることができる。
【００２７】
また、第１カバー部１３３は、第１の刃１３１の第１の刃背面部１４３をさらに覆っている。第２カバー部１３４は、第２の刃１３２の第２の刃背面部１４４をさらに覆っている。第１の刃背面部１４３は、第１の刃１３１の短手方向における第１の刃先１３５とは反対側の面である。第２の刃背面部１４４は、第２の刃１３２の短手方向における第２の刃先１３６とは反対側の面である。この結果、第１の刃１３１と第２の刃１３２の外面側および背面部をユーザから見えないようにし、ユーザが鋏１を用いて紐２を切断する際に、ユーザに対してより安心感を与えることができる。
【００２８】
＜第３の実施形態＞
図５は、第３の実施形態に係る鋏１の切断部１３の拡大図である。図５（ａ）は、鋏１を閉じた状態における切断部１３の拡大図である。図５（ｂ）は、図５（ａ）のＷ−Ｗ線断面図である。第１の刃１３１の第１の刃外面部１４１には、複数の第１の凹部１４５が設けられている。第２の刃１３２の第２の刃外面部１４２には、複数の第２の凹部１４６が設けられている。
【００２９】
また、第１カバー部１３３の第１の刃１３１との接触面には、第１の凹部１４５に係合する複数の第１の凸部１４７が設けられている。第２カバー部１３４の第２の刃１３２との接触面には、第２の凹部１４６に係合する複数の第２の凸部１４８が設けられている。第１の刃１３１と第１カバー部１３３とを接着する際には、複数の第１の凹部１４５に複数の第１の凸部１４７を係合させて接着剤で接着する。第２の刃１３２と第２カバー部１３４とを接着する際には、複数の第２の凹部１４６に複数の第２の凸部１４８を係合させて接着剤で接着する。この結果、第１の刃１３１と第１カバー部１３３、および第２の刃１３２と第２カバー部１３４とをより強固に接着することができる。
【００３０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００３１】
例えば、上記の説明においては、第１カバー部１３３と第１の刃１３１、及び第２カバー部１３４と第２の刃１３２を、接着剤を用いて接合する例を示したが、これらの接合方法は任意である。例えば、インサート成形技術を用いて、第１の刃１３１及び第２の刃１３２に、それぞれ第１カバー部１３３及び第２カバー部１３４を接合させてもよい。
【符号の説明】
【００３２】
１・・・鋏
２・・・紐
３・・・目
１１・・・指掛部
１２・・・開閉軸
１３・・・切断部
１３１・・・第１の刃
１３２・・・第２の刃
１３３・・・第１カバー部
１３４・・・第２カバー部
１３５・・・第１の刃先
１３６・・・第２の刃先
１３７・・・第１の刃内面部
１３８・・・第２の刃内面部
１３９・・・第１の刃先端部
１４０・・・第２の刃先端部
１４１・・・第１の刃外面部
１４２・・・第２の刃外面部
１４３・・・第１の刃背面部
１４４・・・第２の刃背面部
１４５・・・第１の凹部
１４６・・・第２の凹部
１４７・・・第１の凸部
１４８・・・第２の凸部
【図１】
2017189496.tif 000003
【図２】
2017189496.tif 000004
【図３】
2017189496.tif 000005
【図４】
2017189496.tif 000006
【図５】
2017189496.tif 000007